(57)【要約】      （修正有）【課題】脊椎の湾曲状態と身体の全面の軟組織の収縮状態を改善するための脊椎矯正装置を提供する。【解決手段】人体の脊椎部を支持することができるように曲面形状で形成され、かつその中央部に押圧ローラーが脊椎に沿って上下スライディングできるようにスライディング溝１２１が形成された背中支持プレート１２０と上下高低調節が可能で、かつ背中支持プレート１２０と噛み合うようにして互いにリクライニングできるように駆動モータ１６０が備えられた座板プレート１１０から構成され、背中支持プレート１２０には押圧ローラーがスライディング溝１２１に沿って上・下スライディングしながら人体の脊椎部を押圧して指圧できるようにする脊椎指圧手段１３０が設置具備されて、脊椎指圧手段１３０に備えられた押圧ローラーがスライディングされながら脊椎の湾曲状態と身体の全面を押圧または弛緩させて、これを正常に改善できるようにする。【選択図】図３
2011167501.tif 000002
【特許請求の範囲】
【請求項１】
リクライニングが可能であるように構成され、かつ脊椎部を押圧してマッサージすると共に、身体全面の軟組織を弛緩改善させて身体が正常な起立状態に回復できるようにする脊椎矯正ホイールバック装置１００であって、
前記脊椎矯正ホイールバック装置１００は、
ユーザが座ることができるようになった座板プレート１１０と、
前記座板プレート１１０の後端に連結具備され、人体の脊椎部が密着できる背もたれが備えられ、前記背もたれの中央部にスライディング溝１２１が長手方向に沿って形成された背中支持プレート１２０と、
前記背中支持プレート１２０に形成された前記スライディング溝１２１に挿設されて人体の脊椎部を押圧または押圧解除できるように上下にスライディングされる脊椎指圧手段１３０と、
前記座板プレート１１０と前記背中支持プレート１２０とが連結設置されながら、これを底面に安定的に固定支持させることができる胴体フレーム１５０と、から構成され、かつ、
前記脊椎指圧手段１３０には人体の脊椎部を押圧しながら往復スライディング運動する押圧ローラー手段と、前記脊椎指圧手段１３０の上部側が上昇または下降できるようにする上部駆動手段１７０、及び前記脊椎指圧手段１３０の下部側が上昇または下降できるようにする下部駆動手段１８０とが備えられてなることを特徴とする脊椎矯正ホイールバック装置。
【請求項２】
前記座板プレート１１０の端部には駆動モータ１６０により回転される第１被動ギア１６２が備えられ、前記背中支持プレート１２０の端部には前記駆動モータ１６０により回転される第２被動ギア１６３が備えられ、前記第１被動ギア１６２と前記第２被動ギア１６３とは互いに噛み合うように構成されて前記座板プレート１１０と前記背中支持プレート１２０がリクライニングできるように構成されることを特徴とする請求項１に記載の脊椎矯正ホイールバック装置。
【請求項３】
前記脊椎指圧手段１３０は、メインフレーム１３１と、前記メインフレーム１３１の中央に連結設置され、その裏面にラックねじが形成されたラック部１３２と、前記ラック部１３２をその内部に挿設し、前記ラック部１３２に沿って往復スライディング運動できるようになったレール部１３３と、前記レール部１３３の上部側に備えられ、その両側面に各々押圧ローラー１３４が回動可能に設けられるローラーブラケット１３５と、前記レール部１３３の下部側に備えられて、一側には前記ラック部１３２と噛み合い、他側にはローラー駆動モータ１３６の駆動ギア１３７に噛み合って回動できるようにするピニオン部１３８から構成されてなることを特徴とする請求項１に記載の脊椎矯正ホイールバック装置。
【請求項４】
前記レール部１３３には、その両側に前記ピニオン部１３８、ローラー駆動モータ１３６、及び駆動ギア１３７と連結設置できるようになった側面ブラケット１３３ａと、前記ローラーブラケット１３５と連結設置できるようになった連結ロッド１３３ｂがさらに備えられてなることを特徴とする請求項３に記載の脊椎矯正ホイールバック装置。
【請求項５】
前記ローラーブラケット１３５には前記連結ロッド１３３ｂに連結固定される連結固定ピン１３５ａが備えられ、前記連結固定ピン１３５ａには前記ローラーブラケット１３５が弾性的に作動できるようになった弾性手段１３５ｂがさらに備えられてなることを特徴とする請求項４に記載の脊椎矯正ホイールバック装置。
【請求項６】
前記上部駆動手段１７０は、前記脊椎指圧手段１３０のメインフレーム１３１の上端部に設けられて駆動されながら前記メインフレーム１３１の上部側が上昇または下降できるようにラック１７１が備えられた上部ラックプレート１７２と、
前記上部ラックプレート１７２と対向するように設けられる上部プレート１７３と、
前記上部ラックプレート１７２と前記上部プレート１７３の両端部に備えられながら、これらが対向してスライディングがなされるようになったスライディングレール１７４と、
前記上部プレート１７３に設けられて前記上部ラックプレート１７２を上昇または下降させることができるようにする駆動モータ１７５及び駆動ギア１７６から構成されてなることを特徴とする請求項１に記載の脊椎矯正ホイールバック装置。
【請求項７】
前記下部駆動手段１８０は、前記脊椎指圧手段１３０のメインフレーム１３１の下端部に設けられて駆動されながら前記メインフレーム１３１の下部側が上昇または下降できるようにラック１８１が備えられた下部ラックプレート１８２と、
前記下部ラックプレート１８２と対向するように設けられる下部プレート１８３と、
前記下部ラックプレート１８２と前記下部プレート１８３の両端部に備えられながら、これらが対向してスライディングがなされるようになったスライディングレール１８４と、
前記下部プレート１８３に設けられて前記下部ラックプレート１８２を上昇または下降させることができるようにする駆動モータ１８５及び駆動ギア１８６から構成されてなることを特徴とする請求項１に記載の脊椎矯正ホイールバック装置。
【請求項８】
前記脊椎指圧手段１３０のメインフレーム１３１は、人体の脊椎部を対向して凸なアーチ形状で構成されてなることを特徴とする請求項１に記載の脊椎矯正ホイールバック装置。
【請求項９】
前記座板プレート１１０は、その下面に前記胴体フレーム１５０に備えられた支持ロッド１５２の端部が挿設されて前記座板プレート１１０がスライディングされながらリクライニングできるようにするスロット溝１１１が形成されてなることを特徴とする請求項１に記載の脊椎矯正ホイールバック装置。
【請求項１０】
前記脊椎指圧手段１３０は、車椅子の背もたれに設置構成されることを特徴とする請求項１に記載の脊椎矯正ホイールバック装置。
【発明の詳細な説明】
【技術分野】
【０００１】
本発明は、脊椎の病理的湾曲状態と身体の全面の軟組織の収縮状態を改善するための脊椎矯正装置に関し、より詳しくは、人体の脊椎部を支持することができるように曲面形状となり、かつその中央部に押圧ローラーが脊椎に沿って上下スライディングできるようにスライディング溝が形成された背中支持プレートと、上下高低調節が可能で、かつ上記背中支持プレートと噛み合うようにして互いにリクライニングできるように駆動モータが備えられた座板プレートから構成され、上記背中支持プレートには押圧ローラーが上記スライディング溝に沿ってそ上下にスライディングしながら人体の脊椎部を押圧し、指圧できるようにする脊椎指圧手段が設置具備され、上記脊椎指圧手段に備えられた押圧ローラーがスライディングされながら脊椎の病理的湾曲状態と身体の全面を押圧または弛緩させて、これを正常に改善できるようにする脊椎矯正ホイールバック装置に関する。
【背景技術】
【０００２】
老化、ストレス、または長期間の姿勢不良などの要因は、脊椎起立筋を始めとする脊椎周辺組織のエネルギー不足と組織緊張（収縮）を起こして脊椎の病理的湾曲状態（後湾及び側湾）を誘導するか、脊椎骨自体に異常な圧力を形成するようになる。
【０００３】
このような脊椎周辺組織の長期間の収縮は血液循環を低下させることによって組織内の酸素供給の低下に伴う嫌気性代謝を増加させることで、エネルギー（ＡＴＰ）生産の低下と乳酸の蓄積を起こすようになる。これは、脊椎周辺の慢性的筋肉痛と局部温度の低下を起こして周辺組織がより収縮する悪循環を起こす。
【０００４】
このような脊椎周辺組織の収縮は脊椎の骨と骨との間の関節間の距離を狭くなるようにして関節を包まれている靱帯と関節嚢などを緩くさせて脊椎面関節（ｆａｃｅｔ  ｊｏｉｎｔ）のような構造物を正常な解剖位置から外れるように（ｄｒｉｆｔｉｎｇ）して正常位置離脱の亜脱臼（ｓｕｂｌｕｘａｔｉｏｎ）を起こすようになり、これによる痛みと活動制限を誘発する。
【０００５】
また、脊椎に長期的に加えられる過度な圧力は椎間板を過度圧迫して椎間板の退行を誘導し、これによって脊椎神経を圧迫して脊椎狭窄症（ｓｔｅｎｏｓｉｓ）の症状を誘発するか、椎間板髄核脱出によるディスク症状を起こすようになる。
【０００６】
このように、脊椎に長期間加えられる異常な圧力は脊椎骨辺縁にカルシウム沈着を起こして骨棘（ｏｓｔｅｏｐｈｙｔｅ）を形成して周辺神経を圧迫するか、周辺組織との摩擦を起こし、最終的に脊椎骨自体をくさび形（ｗｅｄｇｅ  ｔｙｐｅ）に変形させて背中が永久的に曲がる脊椎後湾の状態または脊椎の回転変形を伴った病理的側湾の形態を表すようになる。
【０００７】
また、このような長期間の後湾状態は身体全面の軟組織も収縮させるようになる。
【０００８】
したがって、上記のような異常な脊椎整列の問題を解決し、正常起立状態に回復するためには、脊椎自体の矯正だけでなく、脊椎周辺の軟組織の収縮状態の改善が必要であり、特に身体全面の軟組織の弛緩が必ず考慮されなければならない。
【０００９】
このような脊椎整列状態の改善のために、図１（Ａ）のような古代中国の人為的な脊椎矯正法、図１（Ｂ）のような手技的脊椎矯正法（ｃｈｉｒｏｐｒａｃｔｉｃ）、図２のような古代インドの脊椎矯正器具であるクルンタ５０、指圧棒の位置移動による脊椎圧迫が可能な温熱寝台、及び１８０度伸展型の可変型椅子のような非常に多様な器具を用いてきた。
【発明の概要】
【発明が解決しようとする課題】
【００１０】
上記のような従来の方法または器具を見ると、図１の場合、施術者と被施術者が一緒にいなければならないので、患者だけでは施行が不可能であり、図２のクルンタの場合は脊椎の特定部分（ｆａｃｅｔ  ｊｏｉｎｔまたは脊椎横突起）の集中的な圧迫が不可能であるので、脊椎の回転変形を伴った側湾症の改善には効果を期待することができず、姿勢と挙動が不便な老年層の場合、身体への適用が困難な問題点があり、手技的脊椎矯正法（ｃｈｉｒｏｐｒａｃｔｉｃ）の場合、瞬間的な押圧力を人体に作用させるので、骨折の危険の高い老年層には適用が不可能である。
【００１１】
そして、可変型椅子または温熱寝台の場合、その伸展角度が１８０度に限定されるので身体の全面の軟組織の弛緩には限界がある。
【００１２】
ここに、本発明は上記のような問題を解決するために案出したものであって、椅子の背もたれ形状で形成され、かつ中央部に長手方向にスライディング溝が形成された背中支持プレート（バックプレートともいう）と、上記背中支持プレートのスライディング溝に挿設されて上記スライディング溝で上下作動しながら人体の背中を押圧し、同時に脊椎に沿ってスライディングしながら押圧する押圧ローラーが備えられた脊椎指圧手段（以下、ホイールバックともいう）と、上下高低調節が可能で、かつリクライニングできるようにする作動モータが備えられた座板プレートと、上記背中支持プレートと座板プレートを支持しながら設置固定できるようにひじかけが備えられた胴体フレームから構成されて、楽に密着支持し、上記脊椎指圧手段を上昇作動させれば、上記脊椎指圧手段が、背中が激しく曲がったユーザが上記座板プレートに座って脊椎を人体の体型に従って上記背中支持プレートにユーザの適応状態に合うように上昇（ｍｏｕｎｔ）した後、これに備えられた押圧ローラーが人体の脊椎に沿ってスライディングしながらこれを押圧して、変形された脊椎の湾曲状態と身体全面の軟組織の収縮状態を弛緩改善させることによって、身体が正常起立状態に回復できるようにする脊椎矯正ホイールバック装置を提供することをその目的とする。
【課題を解決するための手段】
【００１３】
上記の目的を達成するための本発明は、リクライニングが可能であるように構成され、かつ脊椎部を押圧してマッサージすると共に、身体全面の軟組織を弛緩改善させて身体が正常な起立状態に回復できるようにする脊椎矯正ホイールバック装置であって、上記脊椎矯正ホイールバック装置は、ユーザが座ることができるようになった座板プレートと、上記座板プレートの後端に連結具備され、人体の脊椎部が密着できる背もたれが備えられ、上記背もたれの中央部にスライディング溝が長手方向に沿って形成された背中支持プレートと、上記背中支持プレートに形成された上記スライディング溝に挿設されて人体の脊椎部を押圧または押圧解除できるように上下にスライディングされる脊椎指圧手段と、上記座板プレートと上記背中支持プレートとが連結設置されながら、これを底面に安定的に固定支持させることができる胴体フレームと、から構成され、かつ、上記脊椎指圧手段には人体の脊椎部を押圧しながら往復スライディング運動する押圧ローラー手段と、上記脊椎指圧手段の上部側が上昇または下降できるようにする上部駆動手段と、上記脊椎指圧手段の下部側が上昇または下降できるようにする下部駆動手段とが備えられてなることを特徴とする。
【発明の効果】
【００１４】
本発明に従う脊椎矯正ホイールバック装置によれば、身体の背中を支持する曲面形状の背中支持プレートと座板プレートをリクライニング椅子形態で構成して人体の脊椎部を円弧形状で支持しながら身体を１８０度以上折れる（曲がる）ようにして、身体の変形量を大きくすることができるようにすることで、脊椎後湾を正常に改善させることができるようにすることは勿論、身体全面の軟組織の収縮状態を弛緩させて正常化を図ることができる効果が同時に得られる。
【００１５】
また、上記脊椎指圧手段に備えられた押圧ローラーが脊椎を対向して垂直または平行するように上下往復スライディング運動できるようにすることで、大胸筋及び小胸筋など、胸全面の筋肉を弛緩させることができる効果が得られる。
【００１６】
また、本発明に従う脊椎矯正ホイールバック装置によれば、脊椎指圧手段を用いて脊椎部を対向して垂直または平行するように上下スライディングで作動する押圧ローラーを結合することで、脊椎が十分に伸展された状態でこれに対して垂直または平行した方向にスライディング作動する押圧ローラーによって、脊椎方向に沿って移動することによって脊椎の特定部位を集中的に押圧しながら伸展させることができ、また脊椎に沿って反復移動をしながら脊椎の周辺の軟組織のマッサージが可能であることは勿論、脊椎の過度な後湾及び側湾のような脊椎の異常な位置を正常に伸ばし矯正できる効果が得られる。
【００１７】
また、本発明に従う脊椎矯正ホイールバック装置の押圧により、回転変形（ｔｏｒｓｉｏｎ）された脊椎の一側横突起部分に押圧ローラーの局所部位の上下往復運動を用いた反復的な押圧力を加え、回転変形された脊椎を正常位置に還元させて脊椎側湾の根本的な原因を除去する治療効果が得られる。
【００１８】
また、本発明に従う脊椎矯正ホイールバック装置は、押圧ローラーの上下方向移動量を調節して押圧力を調節できるので、ユーザの健康状態に従い効果的に脊椎を矯正できるという長所がある。
【００１９】
また、本発明に従う脊椎矯正ホイールバック装置は、ユーザの脊椎部を上部側と中間または下部側に対向して、各々別途に押圧ローラーを駆動させて、該当部位を集中的に押圧矯正できる長所がある。
【図面の簡単な説明】
【００２０】
【図１】２人が背中を突き合わせて脊椎伸展運動法を示す斜視図である。
【図２】インドのヨガで脊椎伸展運動に使用する器具であるクルンタを示す斜視図である。
【図３】本発明に従う脊椎矯正ホイールバック装置の大略的な斜視図、断面図、及び概略図である。
【図４】本発明に従う脊椎矯正ホイールバック装置がリクライニング（広げられた）状態を示す大略的な斜視図、断面図、及び概略図である。
【図５】本発明に従う脊椎矯正ホイールバック装置の要部断面斜視図である。
【図６】本発明に従う脊椎矯正ホイールバック装置の分離斜視図である。
【図７】本発明に従う脊椎矯正ホイールバック装置の脊椎指圧手段の大略的な斜視図及び断面図である。
【図８】本発明に従う脊椎矯正ホイールバック装置の脊椎指圧手段の大略的な斜視状態の一部切欠図である。
【図９】本発明に従う脊椎矯正ホイールバック装置に備えられた脊椎指圧手段が人体の背中を対向して垂直に押圧（ｍｏｕｎｔ）される図及び概略図（Ａ）、人体の脊椎部の上部側に集中的に押圧（ｍｏｕｎｔ）される図及び概略図（Ｂ）、及び人体の脊椎部の下部側に集中的に押圧（ｍｏｕｎｔ）される図及び概略図（Ｃ）である。
【図１０】本発明に従う脊椎矯正ホイールバック装置にユーザが脊椎を押圧するために着席した図（Ａ）、脊椎矯正ホイールバック装置のリクライニングに従う後湾された脊椎の伸展及び改善と前胸部の軟組織の弛緩状態を示す大略的な斜視図（Ｂ、Ｃ）である。
【図１１】本発明による押圧ローラーが上下方向に移動しながら脊椎を押圧して側湾された脊椎を矯正する状態を示す大略的な断面図及び図である。
【図１２】本発明による押圧の上下方向移動により側湾された脊椎を矯正する方法を示す大略的な斜視図である。
【図１３】回転変形（ｔｏｒｓｉｏｎ）された脊椎において、外見上、脊椎側湾と表れる脊椎棘突起部分（Ｔ）が還元（ｒｅｄｕｃｔｉｏｎ）されて正常になった脊椎を示す斜視図である。
【発明を実施するための形態】
【００２１】
以下、本発明の好ましい実施形態を添付した図面を参照しつつ当該分野で通常の知識を有する者が容易に実施できるように説明する。
【００２２】
本発明の脊椎矯正ホイールバック装置１００は、図３乃至図８に示すように、人が座って脚を伸ばすことができるようになった座板プレート１１０と、上記座板プレート１１０の後端に連結具備され、人体の背中が密着できる曲面形状の背もたれが備えられ、上記背もたれの中央部にスライディング溝１２１が長手方向に沿って形成された背中支持プレート１２０（バックプレートともいう）と、上記背中支持プレート１２０に形成された上記スライディング溝１２１に挿設されて人体の背中を押圧または押圧解除できるように上下にスライディングされる脊椎指圧手段１３０（ホイールバックともいう）と、上記背中支持プレート１２０の後面に備えられて上記脊椎指圧手段１３０がその内部に収納されて設置固定される背もたれカーバ１４０と、上記座板プレート１１０と上記背中支持プレート１２０とが連結設置されながら底面に安定的に固定支持できるように取っ手１５１が備えられた胴体フレーム１５０とから構成されている。
【００２３】
上記座板プレート１１０と上記背中支持プレート１２０とが連結される部位には駆動ギア１６１が備えられた駆動モータ１６０が設けられている。
【００２４】
そして、上記座板プレート１１０の端部には、上記駆動モータ１６０により回転される第１被動ギア１６２が備えられ、上記背中支持プレート１２０の端部には上記駆動モータ１６０により回転される第２被動ギア１６３が備えられ、かつ上記第１被動ギア１６２と上記第２被動ギア１６３とは互いに噛み合うように構成されている。
【００２５】
そして、上記第２被動ギア１６３には上記駆動ギア１６１が噛み合う構造となっているので、上記駆動モータ１６０が駆動されれば上記駆動ギア１６１により上記第１被動ギア１６２と上記第２被動ギア１６３とが互いに噛み合った状態で回転しながら上記座板プレート１１０と上記背中支持プレート１２０とが互いにリクライニングされながら図４のように広げられるようになる。
【００２６】
そして、上記と反対方向に上記駆動モータ１６０を駆動させれば、リクライニングされた上記座板プレート１１０と上記背中支持プレート１２０が上記とは反対に折り畳まれながら座ることができる形態に図３のように復帰される。
【００２７】
ここで、上記駆動モータ１６０は上記第１被動ギア１６２に連結構成して作動されることもできる。
【００２８】
上記座板プレート１１０と上記背中支持プレート１２０とが互いにリクライニングまたは折り畳まれる程度は、上記駆動モータ１６０を適切に調整して調節できることは勿論である。
【００２９】
ここで、リクライニング（ｒｅｃｌｉｎｉｎｇ）とは、椅子が後に横になり（広げられ）ながらユーザが気楽にもたれるか、あるいは横になることができる構造をいう。
【００３０】
そして、上記座板プレート１１０の下面には上記胴体フレーム１５０に備えられた支持ロッド１５２の端部が挿設されて上記座板プレート１１０がスライディングされながらリクライニングできるようにするスロット溝１１１が一定の長さだけ形成されている。
【００３１】
そして、上記スライディング溝１２１に挿設される上記脊椎指圧手段１３０は、図７及び図８に示すように、アーチ形状にして、その内部が空間部で構成される四角形状のメインフレーム１３１と、上記メインフレーム１３１の中央に連結設置され、その裏面にラックねじが形成されたラック部１３２と、上記ラック部１３２をその内部に挿設し、上記ラック部１３２に沿って往復スライディング運動することができるレール部１３３と、上記レール部１３３の上部側に備えられ、その両側面に各々押圧ローラー１３４が回動可能に設けられるローラーブラケット１３５と、上記レール部１３３の下部側に備えられて、一側には上記ラック部１３２と噛み合い、他側にはローラー駆動モータ１３６の駆動ギア１３７に噛み合って回動できるようにするピニオン部１３８から構成されている。
【００３２】
そして、上記レール部１３３にはその両側に上記ピニオン部１３８、ローラー駆動モータ１３６、及び駆動ギア１３７と連結設置できるようになった側面ブラケット１３３ａと、上記ローラーブラケット１３５と弾性的に連結設置できるようにする連結ロッド１３３ｂとが備えられている。
【００３３】
そして、上記ローラーブラケット１３５には両側で上記連結ロッド１３３ｂに挿設される連結固定ピン１３５ａが備えられ、上記連結固定ピン１３５ａには上記ローラーブラケット１３５が弾性的に作動できるようにスプリングのような弾性手段１３５ｂが挿設具備されている。
【００３４】
したがって、上記ローラー駆動モータ１３６が駆動されれば、上記駆動ギア１３７が回動され、これと噛み合った上記ピニオン部１３８が回転される。
【００３５】
次に、上記ピニオン部１３８に噛み合った上記ラック部１３２に沿って上記レール部１３３がスライディングされ、これによって上記ローラーブラケット１３５がスライディングされる。この際、上記ローラーブラケット１３５の両端に備えられた一対の上記押圧ローラー１３４が人体の脊椎部に沿って往復スライディングされながら弾性的に押圧治療できるようになる。
【００３６】
そして、上記四角形状のメインフレーム１３１には、その上端部と下端部に各々これを上下に駆動できるようにする上部駆動手段１７０と下部駆動手段１８０とが設置具備されている。
【００３７】
上記上部駆動手段１７０は、上記四角形状のメインフレーム１３１の上端部に設けられて駆動されながら上記メインフレーム１３１の上部側が上下スライディングできるようにラック１７１が備えられた上部ラックプレート１７２、上記上部ラックプレート１７２と対向するように設けられる上部プレート１７３、上記上部ラックプレート１７２と上記上部プレート１７３の両端部に備えられながら、これらが互いにスライディングが容易になされるようになったスライディングレール１７４、及び上記上部ラックプレート１７２を上昇または下降させることができるようにする駆動モータ１７５と駆動ギア１７６から構成されている。
【００３８】
そして、上記駆動ギア１７６は上記ラック１７１と噛み合って駆動できるように構成されている。
【００３９】
また、通常的に上記ラック１７１は上記上部ラックプレート１７２の中央部で長手方向に形成具備されている。
【００４０】
そして、上記上部プレート１７３は上記背もたれカーバ１４０に備えられたブラケット（図示せず）に連結固定され、上記スライディングレール１７４は上記上部ラックプレート１７２と上記上部プレート１７３の両端部で各々どちらかの一方に雌雄機能が付与され、相互離脱が防止できるようになっている。
【００４１】
したがって、上記上部駆動手段１７０を駆動すれば、上記脊椎指圧手段１３０の上部側が上昇または下降できるようになる。
【００４２】
上記下部駆動手段１８０は、上記四角形状のメインフレーム１３１の下端部に設けられて駆動されながら上記メインフレーム１３１の下部側が上下スライディングできるようにラック１８１が備えられた下部ラックプレート１８２、上記下部ラックプレート１８２と対向するように設けられる下部プレート１８３、上記下部ラックプレート１８２と上記下部プレート１８３の両端部に備えられながら、これらが互いにスライディングが容易になされるようになったスライディングレール１８４、及び上記下部ラックプレート１８２を上昇または下降させることができるようにする駆動モータ１８５と駆動ギア１８６から構成されている。
【００４３】
そして、上記駆動ギア１８６は上記ラック１８１と噛み合って駆動できるように構成されている。
【００４４】
また、通常的に上記ラック１８１は上記下部ラックプレート１８２の中央部で長手方向に形成具備されている。
【００４５】
そして、上記下部プレート１８３は上記背もたれカーバ１４０に備えられたブラケット（図示せず）に連結固定され、上記スライディングレール１８４は上記下部ラックプレート１８２と上記下部プレート１８３の両端部で各々どちらかの一側に雌雄機能が付与され相互離脱が防止できるようになっている。
【００４６】
したがって、上記下部駆動手段１８０を駆動すれば、上記脊椎指圧手段１３０の下部側が上昇または下降できるようになる。
【００４７】
そして、上記上部駆動手段１７０と上記下部駆動手段１８０を同時に駆動させると、上記脊椎指圧手段１３０が全体的に上昇または下降できるようになる。
【００４８】
したがって、本発明の脊椎矯正用ホイールバック装置１００は、前述したように、上記上部駆動手段１７０と上記下部駆動手段１８０を同時に駆動して、上記脊椎指圧手段１３０の全体が人体の脊椎部に向かって上昇または下降して、背中全体を押圧または押圧解除することができ、また上記上部駆動手段１７０のみ駆動して上記脊椎指圧手段１３０の上部側の上昇／下降するようにして人体脊椎部の上部側を集中的に押圧することができ、逆に、上記下部駆動手段１８０のみ駆動して上記脊椎指圧手段１３０の下部側が上昇／下降するようにして人体脊椎部の下部側を集中的に押圧できるように構成されている。
【００４９】
そして、人体の首とヘッド部が保護できるように、上記背中支持プレート１２０の上部側にはヘッドレスト１９０が設置構成できることは勿論である。
【００５０】
上記のように、全体的な駆動または上部と下部の部分的な駆動は、コントロール部（図示せず）の作動スイッチにより作動できるように構成される。
【００５１】
また、上記のように構成された本発明の脊椎矯正用ホイールバック装置１００は、上記駆動モータ１６０を駆動させて上記駆動ギア１６１と上記被動ギア１６２、１６３が各々噛み合って回動されるようにすることで、上記座板プレート１１０は上昇し、上記背中支持プレート１３０は後方に反って上記座板プレート１１０と上記背中支持プレート１２０とがリクライニングされて人体の上・下半身が１８０度以上に伸展できるようになる。
【００５２】
したがって、上記座板プレート１１０と上記背中支持プレート１２０は、人体の背中／脊椎部を押圧支持できるように凸な曲面形状に広げられるようにリクライニング（ｒｅｃｌｉｎｉｎｇ）されて背中／脊椎部の押圧と共に、身体全面の軟組織を弛緩させることができるように構成されることは勿論、人体が滑ることが防止できるように、その表面を凹凸形状のような摺動防止手段を具備して構成される。
【００５３】
上記のように構成された本発明の脊椎矯正ホイールバック装置１００は、これを使用してユーザの背中／脊椎部を押圧して変形された脊椎を矯正する作動手続きを説明すれば、次の通りである。
【００５４】
まず、図９と１０に示すように、ユーザが人体の背中／脊椎部を上記背中支持プレート１２０にもたれながら上記座板プレート１１０に脚を伸ばした状態で座る。
【００５５】
次に、人体の脊椎部の全体を押圧して矯正しようとする場合、上記図９の（Ａ）に示すように、上記上部駆動手段１７０と上記下部駆動手段１８０とを同時に作動させれば、即ち、上記各駆動モータ１７５、１８５を同時に駆動させて上記脊椎指圧手段１３０の全体を人体の脊椎部に昇降作動（ｍｏｕｎｔ）させる。
【００５６】
すると、上記メインフレーム１３１が人体の脊椎部に向かって昇降され、次に上記押圧ローラー１３４が脊椎部を押圧するようになる。
【００５７】
このような状態で上記押圧ローラー１３４を人体の脊椎に沿って上下にスライディングさせるようになれば、屈曲した脊椎が矯正される。
【００５８】
これは、上記押圧ローラー１３４と一体で連結構成された上記ローラーブラケット１３５と上記レール部１３３が上記ラック部１３２に沿って往復スライディングすることによりなされる。
【００５９】
この際、上記弾性手段１３５ｂにより人体の脊椎部が弾性的に押圧できるようになる。
【００６０】
そして、ユーザが人体の脊椎部のうち、その上部側のみに集中的に上記押圧ローラー１３４を押圧させてマッサージしようとする場合は、図９の（Ｂ）に示すように、上記上部駆動手段１７０の上記駆動モータ１７５を作動させることによってなされる。
【００６１】
即ち、上記作動モータ１７５を駆動させて作動させれば、上記駆動ギア１７６が上記ラック１７１と噛み合った状態で上記上部ラックプレート１７２が昇降（ｍｏｕｎｔ）され、これと一体で連結されている上記メインフレーム１３１の上部側が上昇しながら脊椎部の上部側を押圧するようになる。
【００６２】
このような状態で上記押圧ローラー１３４を脊椎部に沿って往復スライディング運動させれば、ユーザが所望する脊椎部の上側部分を集中的に押圧マッサージできるようになる。
【００６３】
この際、上記駆動モータ１７５が設けられる上記上部プレート１７３と上記ラック１７１が備えられた上記上部ラックプレート１７２とが互いに対向してスライディングがなされ、かつ、これらの間の両側端に備えられた上記スライディングレール１７４を媒介にして、そのスライディングがなされるようになっているので、揺れ無しで安定的に上昇できるようになる。
【００６４】
勿論、上記脊椎指圧手段１３０の上部側のみ下降させて元の位置に還元させるためには上記駆動モータ１７５を逆に駆動させればよい。
【００６５】
また、ユーザが人体の脊椎部のうち、その下部側のみに集中的に上記押圧ローラー１３４を押圧させてマッサージしようとする場合は、図９の（Ｃ）に示すように、上記下部駆動手段１８０の上記駆動モータ１８５を作動させて上記脊椎指圧手段１３０の下部側のみ昇降させることによってなされる。
【００６６】
即ち、上記駆動モータ１８５を駆動させて作動させれば、上記駆動ギア１８６が上記ラック１８１と噛み合いながら上記下部ラックプレート１８２が昇降しながらこれと一体で連結されている上記メインフレーム１３１の下部側が上昇しながら脊椎部の下部を押圧するようになる。
【００６７】
このような状態で上記押圧ローラー１３４を脊椎部に沿って往復スライディング運動させれば、ユーザが所望する脊椎部の下側部分を集中的に押圧マッサージできるようになる。
【００６８】
この際、上記駆動モータ１８５が設けられる上記下部プレート１８３と上記ラック１８１が備えられた上記下部ラックプレート１８２とが互いに対向してスライディングがなされ、かつこれらの間の両側端に備えられた上記スライディングレール１８４を媒介にして、そのスライディングがなされるようになっているので、揺れ無しで安定的に下部側のみ昇降できるようになる。
【００６９】
勿論、上記脊椎指圧手段１３０の下部側のみ下降させて元の位置に還元させるためには、上記駆動モータ１８５を逆に駆動させればよい。
【００７０】
ここで、上記のように作動させるために、上記脊椎指圧手段１３０と各種駆動モータの作動は、別途の作動スイッチ（図示せず）により動作させることができるようにコントロール部（図示せず）に連結構成されてなる。このような構成は、一般の公知技術により通常的に構成できるものであって、その詳細な説明は省略する。
【００７１】
上記のように、本発明の脊椎矯正ホイールバック装置１００は、上記脊椎指圧手段１３０を人体の脊椎部に向かって全体的に上昇または下降させることができ、また人体の脊椎部の上部側のみに上昇または下降させることができ、また人体の脊椎部の下部側のみに上昇または下降させることができるように構成されることによって、人体の背中を効果的に押圧して該当部位を集中的にマッサージ（治療）できるようになっている。
【００７２】
また、上記のような脊椎指圧手段１３０は、一般的なリクライニング椅子または車椅子などの背もたれに結合構成して使用することもできる。
【００７３】
しかしながら、上記のような作動手続きを周期的に一定の時間の間作動してユーザの脊椎を脊椎矯正できるように別途の制御システム（図示せず）を設けて構成運用するようになる。
【００７４】
そして、図１１及び図１２に示すように、上記押圧ローラー１３４が脊椎方向に沿って反復的に直線運動するため、側湾した脊椎を効果的に矯正させることができるようになる。
【００７５】
また、上記押圧ローラー１３４が脊椎に対して垂直方向に圧迫するように作動して局所的な脊椎伸展を可能にし、また、前胸部をさらに広げて前胸部筋肉及び軟組織を伸展及び弛緩させることができるようになる。
【００７６】
また、図１０に示すように、背中支持プレートを広げて１８０度以上に伸展させることによって、１８０度伸展に限定される既存の寝台型押圧器に比べて大腿前面筋肉及び軟組織をより効果的に弛緩させることができるようになる。
【００７７】
そして、図１３に示すように、回転変形（ｔｏｒｓｉｏｎ）された脊椎において、外見上、脊椎側湾として表れる脊椎棘突起部分（Ｔ）が上記押圧ローラー１３４の押圧力が加えられながら還元（ｒｅｄｕｃｔｉｏｎ）されて脊椎を正常に矯正できるようになる。
【００７８】
以上、本発明は図面に図示した実施形態を参考にして説明したが、これは発明を説明するためのものであり、本発明が属する技術分野の通常の知識を有する者であれば、発明の詳細な説明から多様な変形または均等な実施形態が可能であるということを理解することができる。
【符号の説明】
【００７９】
１００    脊椎矯正ホイールバック装置
１１０    座板プレート
１２０    背中支持プレート
１３０    脊椎指圧手段
１４０    背もたれカーバ
１５０    胴体フレーム
１６０    駆動モータ
１７０    上部駆動手段
１８０    下部駆動手段
１９０    ヘッドレスト
１２１    スライディング溝
１３１    メインフレーム
１３２    ラック部
１３３    レール部
１３３ａ    側面ブラケット
１３３ｂ    連結ロッド
１３４    押圧ローラー
１３５    ローラーブラケット
１３５ａ    連結固定ピン
１３５ｂ    弾性手段
１３６    ローラー駆動モータ
１３７    駆動ギア
１３８    ピニオン部
１５１    取っ手
１５２    支持ロッド
１６１    駆動ギア
１６２、１６３    被動ギア
１７１    ラック
１７２    上部ラックプレート
１７３    上部プレート
１７４    スライディングレール
１７５    駆動モータ
１７６    駆動ギア
１８１    ラック
１８２    下部ラックプレート
１８３    下部プレート
１８４    スライディングレール
１８５    駆動モータ
１８６    駆動ギア
Ｓ    脊椎
Ｔ    脊椎棘突起部分
【図１】
2011167501.tif 000003
【図２】
2011167501.tif 000004
【図３】
2011167501.tif 000005
【図４】
2011167501.tif 000006
【図５】
2011167501.tif 000007
【図６】
2011167501.tif 000008
【図７】
2011167501.tif 000009
【図８】
2011167501.tif 000010
【図９】
2011167501.tif 000011
【図１０】
2011167501.tif 000012
【図１１】
2011167501.tif 000013
【図１２】
2011167501.tif 000014
【図１３】
2011167501.tif 000015